(57)【要約】【課題】非正規のユーザによる不正使用を防止する画像処理装置、画像配信サーバ、画像処理システム、方法、プログラムおよび記憶媒体を提供することすること。【解決手段】本発明の画像処理装置は、画像処理装置の認証情報を使用してユーザを認証し、原稿をスキャニングして生成した原稿画像から書誌情報を抽出し、当該抽出した書誌情報と、書誌情報データベースに登録された書誌情報とを比較して、ユーザが要求する処理の実行可否を判断し、要求処理が実行可能と判断された場合に、ユーザに関連付けられた原稿画像の配信先に前記原稿画像を配信する。【選択図】  図２
2011191895.tif 000002
【特許請求の範囲】
【請求項１】
原稿画像を処理する画像処理装置であって、前記画像処理装置は、
前記画像処理装置を使用可能なユーザの識別情報および前記ユーザの前記画像処理装置についての使用可否情報と、前記画像処理装置のユーザが認証時に指定したユーザの識別情報とを比較して、前記ユーザを認証する認証手段と、
前記ユーザの認証がされた場合に、原稿をスキャニングして原稿画像を生成するスキャン手段と、
前記原稿画像から前記原稿画像を識別可能な書誌情報を抽出する書誌情報取得手段と、
前記書誌情報が登録された書誌情報データベースと、
前記抽出した書誌情報と、前記書誌情報データベースに登録された書誌情報とを比較して、前記ユーザが要求する処理の実行可否を判断する要求処理判断手段と、
前記ユーザが要求する処理が実行可能と判断された場合に、前記ユーザに関連付けられた前記原稿画像の配信先に前記原稿画像を配信する配信処理手段と
を含む、画像処理装置。
【請求項２】
画像処理装置のユーザを認証する認証サーバであって、前記認証サーバは、
前記画像処理装置を使用可能なユーザの識別情報と、前記画像処理装置に対するユーザの使用可否情報と、前記ユーザの原稿画像の配信先情報とが関連付けて登録されたユーザ情報データベースと、
前記画像処理装置のユーザが認証時に指定したユーザの識別情報と、前記ユーザ情報データベースに格納されたユーザの識別情報および使用可否情報とを比較して、前記画像処理装置のユーザを認証する認証手段と、
前記ユーザの認証がされ、前記画像処理装置から前記ユーザの識別情報を受領した場合に、前記ユーザの識別情報に関連付けられた前記原稿画像の配信先情報を前記画像処理装置に提供する配信先情報提供手段と
を含む、認証サーバ。
【請求項３】
原稿画像を処理する画像処理装置と、前記画像処理装置のユーザを認証する認証サーバとを含む画像処理システムであって、前記画像処理装置は、
前記画像処理装置を使用可能なユーザの識別情報および前記ユーザの前記画像処理装置についての使用可否情報と、前記画像処理装置のユーザが認証時に指定したユーザの識別情報とを比較して、前記ユーザを認証する認証手段と、
前記ユーザの認証がされた場合に、原稿をスキャニングして原稿画像を生成するスキャン手段と、
前記原稿画像から前記原稿画像を識別可能な書誌情報を抽出する書誌情報取得手段と、
前記書誌情報が登録された書誌情報データベースと、
前記抽出した書誌情報と、前記書誌情報データベースに登録された書誌情報とを比較して、前記ユーザが要求する処理の実行可否を判断する要求処理判断手段と、
前記ユーザが要求する処理が実行可能と判断された場合に、前記ユーザに関連付けられた前記原稿画像の配信先に前記原稿画像を配信する配信処理手段と
を含む、画像処理システム。
【請求項４】
画像処理装置が生成した原稿画像を配信する画像配信サーバであって、前記画像配信サーバは、
前記原稿画像から前記原稿画像を識別可能な書誌情報を抽出する書誌情報取得手段と、
前記書誌情報が登録された書誌情報データベースと、
前記抽出した書誌情報と、前記書誌情報データベースに登録された書誌情報とを比較して、前記画像処理装置のユーザが要求する処理の実行可否を判断する要求処理判断手段と、
前記ユーザが要求する処理が実行可能と判断された場合に、前記ユーザに関連付けられた前記原稿画像の配信先に前記原稿画像を配信する配信処理手段と
を含む、画像配信サーバ。
【請求項５】
原稿画像を生成する画像処理装置と、前記画像処理装置が生成した原稿画像を配信する画像配信サーバと、前記画像処理装置のユーザを認証する認証サーバとを含む画像処理システムであって、
前記画像処理装置は、
前記画像処理装置を使用可能なユーザの識別情報および前記ユーザの前記画像処理装置についての使用可否情報と、前記画像処理装置のユーザが認証時に指定したユーザの識別情報とを比較して、前記ユーザを認証する認証手段と、
前記ユーザの認証がされた場合に、原稿をスキャニングして原稿画像を生成するスキャン手段とを含み、
前記画像配信サーバは、
前記原稿画像から前記原稿画像を識別可能な書誌情報を抽出する書誌情報取得手段と、
前記書誌情報が登録された書誌情報データベースと、
前記抽出した書誌情報と、前記書誌情報データベースに登録された書誌情報とを比較して、前記ユーザが要求する処理の実行可否を判断する要求処理判断手段と、
前記ユーザが要求する処理が実行可能と判断された場合に、前記ユーザに関連付けられた前記原稿画像の配信先に前記原稿画像を配信する配信処理手段と
を含む、画像処理システム。
【請求項６】
原稿画像を処理する画像処理装置が実行する方法であって、前記方法は、前記画像処理装置が、
前記画像処理装置を使用可能なユーザの識別情報および前記ユーザの前記画像処理装置についての使用可否情報と、前記画像処理装置のユーザが認証時に指定したユーザの識別情報とを比較して、前記ユーザを認証するステップと、
前記ユーザの認証がされた場合に、原稿をスキャニングして原稿画像を生成するステップと、
前記原稿画像から前記原稿画像を識別可能な書誌情報を抽出するステップと、
前記書誌情報が登録された書誌情報データベースを参照し、前記抽出した書誌情報と、前記書誌情報データベースに登録された書誌情報とを比較して、前記ユーザが要求する処理の実行可否を判断するステップと、
前記ユーザが要求する処理が実行可能と判断した場合に、前記ユーザに関連付けられた前記原稿画像の配信先に前記原稿画像を配信するステップと
を含む、方法。
【請求項７】
画像処理装置のユーザを認証する認証サーバが実行する方法であって、前記方法は、前記認証サーバが、
前記画像処理装置を使用可能なユーザの識別情報と、前記画像処理装置に対するユーザの使用可否情報と、前記ユーザの原稿画像の配信先情報とが関連付けて登録されたユーザ情報データベースを参照し、前記画像処理装置のユーザが認証時に指定したユーザの識別情報と、前記ユーザ情報データベースに格納されたユーザの識別情報および使用可否情報とを比較して、前記画像処理装置のユーザを認証するステップと、
前記ユーザの認証がされ、前記画像処理装置から前記ユーザの識別情報を受領した場合に、前記ユーザの識別情報に関連付けられた前記原稿画像の配信先情報を前記画像処理装置に提供するステップと
を含む、方法。
【請求項８】
画像処理装置が生成した原稿画像を配信する画像配信サーバが実行する方法であって、前記方法は、前記画像配信サーバが、
前記原稿画像から前記原稿画像を識別可能な書誌情報を抽出するステップと、
前記書誌情報が登録された書誌情報データベースを参照し、前記抽出した書誌情報と、前記書誌情報データベースに登録された書誌情報とを比較して、前記画像処理装置のユーザが要求する処理の実行可否を判断するステップと、
前記ユーザが要求する処理が実行可能と判断した場合に、前記ユーザに関連付けられた前記原稿画像の配信先に前記原稿画像を配信するステップと
を含む、方法。
【請求項９】
請求項６または８に記載の各ステップを画像処理装置または画像配信サーバが実行するためのコンピュータ実行可能なプログラム。
【請求項１０】
請求項９に記載されたプログラムを記録したコンピュータ可読な記録媒体。
【発明の詳細な説明】
【技術分野】
【０００１】
本発明は、画像処理装置に関し、より詳細には、不正使用を防止する画像処理装置、画像配信サーバ、画像処理システム、方法、プログラムおよび記録媒体に関する。
【背景技術】
【０００２】
近年、ネットワークに接続された複合機（以下、ＭＦＰ（Multi Function Peripheral）として参照する。）といった画像処理装置の不正使用を防止する様々な技術が提案されている。
【０００３】
特許文献１は、ＩＣカード等の携帯装置を使用してユーザ認証する画像処理装置であって、携帯装置との間でデータを送受信する送受信手段と、携帯装置に格納されている状態情報を、送受信手段を介して取得し、その状態情報に基づき前回使用時の携帯装置の異常を検出する携帯装置管理手段と、携帯装置管理手段により異常が検出された場合に、使用可能とする前に携帯装置保有者の認証処理を実行する認証処理手段とを備え、所定の時間以上画像処理装置の操作がなされなかった場合、当該画像形成処理装置の使用後に携帯装置が忘れられたとみなし、ユーザの再認証を実行して不正使用を阻止する画像処理装置を開示する。
【０００４】
また、特許文献２は、オペレータの操作によって情報を入力する情報入力手段と、オペレータが特定のユーザであることを認証するユーザ認証手段と、認証されたユーザが情報入力手段に対して操作を行わない時間を計測する無操作時間計測手段と、無操作時間計測手段によって計測した時間が、制限時間を超過したことを判定する制限時間超過判定手段と、制限時間をユーザ毎に設定する制限時間設定手段と、制限時間超過判定手段によって制限時間の超過が判定されたことを条件に、該当する操作を不受理とする操作制限手段を備え、タイムアウトにより自動的にログアウトさせる情報処理装置を開示する。
【発明の概要】
【発明が解決しようとする課題】
【０００５】
しかしながら、特許文献１が開示する装置は、所定の時間以上画像処理装置の操作がなされなかった場合に異常状態が発生したと認定してユーザの再認証を実行するため、当該所定時間が経過する間に、正規のユーザがＩＣカード等を残したまま画像処理装置から離れた後に、非正規のユーザが正規のユーザに成りすまして画像処理装置を不正に使用する虞がある。また、特許文献２が開示する装置は、オートログアウトにより、認証したユーザ以外の使用を排除するものではあるが、オートログアウトが実行される前に、ユーザが画像処理装置から離れてしまうと、特許文献１の装置と同様に、非正規のユーザが正規のユーザに成りすまして画像処理装置を不正に使用する虞がある。
【０００６】
したがって、画像処理装置の使用状況に応じてユーザ毎に課金徴収する場合、上述した上記特許文献に開示された装置では、厳密な課金情報を取得することができない。
【０００７】
本発明は、上記従来技術の問題に鑑みてなされたものであり、非正規のユーザによる不正使用を防止する画像処理装置、画像配信サーバ、画像処理システム、画像処理方法、プログラムおよび記憶媒体を提供することを目的とするものである。
【課題を解決するための手段】
【０００８】
上記課題を解決するために、本発明の画像処理装置は、画像処理装置の認証情報を使用してユーザを認証し、原稿をスキャニングして生成した原稿画像から書誌情報を抽出し、当該抽出した書誌情報と、書誌情報データベースに登録された書誌情報とを比較して、ユーザが要求する処理の実行可否を判断し、要求処理が実行可能と判断された場合に、ユーザに関連付けられた原稿画像の配信先に前記原稿画像を配信する。これにより、ユーザの認証がされた後に、他のユーザによる画像処理装置の不正使用を防止することができる。
【０００９】
さらに、本発明は、非正規のユーザによる不正使用を防止する画像配信サーバ、画像処理システム、画像処理装置および画像配信サーバが実行する方法、プログラムおよび記憶媒体を提供する。
【図面の簡単な説明】
【００１０】
【図１】本実施形態の画像処理システム１００を示す概略図。
【図２】本実施形態の画像処理装置１２０ａ、認証サーバ１３０および管理端末１４０の機能構成を示す図。
【図３】本実施形態の画像処理システムが実行する処理のシーケンスを示した図。
【図４】本実施形態の画像処理装置１２０ａが実行する処理のフローチャートを示した図。
【図５】本実施形態の認証サーバ１３０が実行する処理のフローチャートを示した図。
【図６】本実施形態のユーザ情報データベースに登録されるユーザ情報テーブルの実施形態を示した図。
【図７】本実施形態の書誌情報データベースに登録される書誌情報テーブルの実施形態を示した図。
【図８】本実施形態の画像処理装置１２０ａに表示される認証情報入力画面を示した図。
【図９】他の実施形態の画像処理システム９００を示す概略図。
【図１０】他の実施形態の画像処理装置９２０ａ、認証サーバ９３０、管理端末９４０、および画像配信サーバ９６０の機能構成を示す図。
【図１１】他の実施形態の画像処理システムが実行する処理のシーケンスを示した図。
【図１２】他の実施形態の画像処理装置９２０ａが実行する処理のフローチャートを示した図。
【図１３】他の実施形態の認証サーバ９３０が実行する処理のフローチャートを示した図。
【発明を実施するための形態】
【００１１】
以下、本発明について実施形態をもって説明するが、本発明は、後述する実施形態に限定されるものではない。図１は、本実施形態の画像処理システム１００を示す概略図である。画像処理システム１００は、ネットワーク１１０と、ネットワーク１１０に接続される画像処理装置１２０ａ、１２０ｂと、認証サーバ１３０と、配信先サーバ１５０とを含んで構成されている。ネットワーク１１０は、例えば、イーサネット（登録商標）およびＴＣＰ／ＩＰプロトコルを使用したネットワークとして構成されている。また、ネットワーク１１０は、ローカルエリアネットワーク（ＬＡＮ）として実装することができる。
【００１２】
画像処理装置１２０ａ、１２０ｂは、ＣＣＤ（Charge Coupled Device）センサなどを含んで構成されるスキャナ装置を含むＭＦＰ（Multi Function Peripheral）などの画像処理装置として構成されている。また、画像処理装置１２０ａ、１２０ｂは、スキャナ装置で読み取った画像データを、ネットワーク１１０を介して配信先サーバ１５０に配信する。また、画像処理装置１２０ａ、１２０ｂは、管理端末１４０からネットワーク１１０を介して本実施形態のプログラムを実装し、当該画像処理装置が備える操作パネル等に表示されるユーザ・インタフェース（以降、ＵＩとして参照する。）を提供する。
【００１３】
また、画像処理装置１２０ａ、１２０ｂが、ＭＦＰとして実装される場合、プロセッサ、ＲＡＭ、ハーディスク装置（ＨＤＤ）などを含んで実装されており、ＵＮＩＸ（登録商標）、ＬＩＮＵＸ（登録商標）などのＯＳの制御下で、アセンブラ、Ｃ、Ｃ＋＋、ＪＡＶＡ（登録商標）、Ｊａｖａ（登録商標）Ｓｃｒｉｐｔなどのプログラミング言語で記述された本実施形態のプログラムを実行し、後述する機能を当該画像処理装置上で実現する。なお、本実施形態の画像処理システムでは、例示として２の画像処理装置を含んで構成されているが、他の実施形態では、任意の数の画像処理装置を含んで構成してもよい。
【００１４】
認証サーバ１３０は、画像処理装置１２０ａ、１２０ｂを使用するユーザが使用権限を有するか否かを判断する認証サーバとして構成されている。認証サーバ１３０は、画像処理装置１２０ａ、１２０ｂの認証要求に応じて、ユーザの認証処理を実行し、その認証結果を画像処理装置１２０ａ、１２０ｂに通知する。また、本実施形態では、認証サーバ１３０は、画像処理装置１２０ａ、１２０ｂに含まれる画像配信サーバの要求に応じて、認証されたユーザの種々の情報を提供する。
【００１５】
管理端末１４０は、画像処理装置１２０ａ、１２０ｂや認証サーバ１３０のデータベースを更新する情報処理装置である。管理端末１４０は、パーソナルコンピュータ等の情報処理装置によって実装でき、ネットワーク１１０を通じて、ＨＴＭＬやＸＭＬ、ＸＨＴＭＬ等のマークアップ言語により記述された構造化文書を使用して画像処理装置１２０ａ、１２０ｂや認証サーバ１３０のデータベースに登録すべき情報を送信し、これらのデータベースを更新することができる。
【００１６】
配信先サーバ１５０は、画像処理装置１２０ａ、１２０ｂが配信されるサーバであり、当該画像データを蓄積して管理するファイルサーバや、ＳＭＴＰ（Simple Mail Transfer Protocol）等のプロトコルに準拠して電子メールを送信するメール送信サーバとして構成される。本実施形態の画像処理システムは、１の配信先サーバ１５０で構成されているが、他の実施形態では複数のサーバを備えることができる。
【００１７】
図２は、本実施形態の画像処理システム１００に含まれる画像処理装置１２０ａ、認証サーバ１３０および管理端末１４０の機能構成を示す図である。以下、図２を参照して、画像処理装置１２０ａ、認証サーバ１３０および管理端末１４０が実装する処理機能について説明する。なお、画像処理装置１２０ｂについては、画像処理装置１２０ａと同様の機能を実装するので、以下、より詳細な説明は省略する。
【００１８】
画像処理装置１２０ａは、入力受付部２１０と、表示処理部２１２と、認証処理部２１４と、通信制御部２１６とを含む。
【００１９】
入力受付部２１０は、表示処理部２１２に対して画像処理装置１２０ａの操作パネルにＵＩを表示させ、また、ユーザが当該ＵＩを用いて指示するユーザ認証処理、配信処理、スキャニング処理、複写処理等の実行命令を受領して、これらの処理を認証処理部２１４や後述する配信処理部２１８、スキャナ部２２０に実行させる機能手段である。
【００２０】
表示処理部２１２は、画像処理装置１２０ａの操作パネルにＵＩを表示させる機能手段である。本実施形態の表示処理部２１２が表示させるＵＩには、ユーザの認証情報を入力するＵＩや、原稿画像の配信方法を指定するＵＩが含まれる。本実施形態では、ユーザ認証情報として、ユーザアカウントやユーザＩＤ、ユーザ名等のユーザを識別可能な情報（以下、ユーザ識別情報として参照する。）を使用することができる。また、本実施形態の原稿画像の配信方法には、原稿画像をファイルサーバに格納する方法や、電子メールに原稿画像を添付して配信先のメールアドレスに送信する方法が含まれる。
【００２１】
表示処理部２１２は、原稿画像の配信先情報であるファイルサーバの格納先を示すファイルパスや配信先のメールアドレスをＵＩに表示させる。また、他の実施形態では、表示処理部２１２は、原稿画像の配信先情報を表示させずに、原稿画像の配信方法として、原稿画像を電子メールで送信するか、またはファイルサーバに格納するかを指定するＵＩを表示させて、ユーザに関連付けられたファイルパスや配信先メールアドレスに原稿画像を送信させてもよい。
【００２２】
認証処理部２１４は、認証サーバ１３０にユーザの認証処理を実行させる機能手段である。認証処理部２１４は、入力受付部２１０から認証処理の実行命令を受領すると、ユーザがＵＩを使用して入力したユーザ認証情報であるユーザアカウントやユーザＩＤ、ユーザ名等のユーザを識別可能な情報（以下、ユーザ識別情報として参照する。）およびユーザの認証要求を、通信制御部２１６を介して認証サーバ１３０に送信する。また、認証処理部２１４は、認証サーバ１３０から認証結果を受領し、その結果に応じて表示処理部２１２にＵＩを表示させる。本実施形態では、ユーザの認証が許可された場合には、認証処理部２１４は、表示処理部２１２に対して原稿画像の配信処理を実行可能なＵＩを表示させて、ユーザによる原稿画像の配信処理を可能とする。一方、ユーザの認証が許可されない場合には、認証処理部２１４は、表示処理部２１２にその旨の通知をＵＩに表示させる。
【００２３】
通信制御部２１６は、画像処理装置１２０ａと、認証サーバ１３０および管理端末１４０との間でネットワーク１１０を介したデータの送受信を行う機能手段である。通信制御部２１６は、ユーザ認証処理、後述する原稿画像配信処理および書誌情報登録処理に関する種々のデータを処理する。これらのデータには処理内容を識別する情報がヘッダなどに付加されており、通信制御部２１６は、その処理内容を識別する情報を使用して、データの送信先や、当該データを処理する画像処理装置１２０ａの機能手段を決定することができる。
【００２４】
また、画像処理装置１２０ａは、配信処理部２１８と、スキャナ部２２０と、原稿画像バッファ２２２と、画像配信サーバ２３０とを含む。
【００２５】
配信処理部２１８は、原稿画像を生成させ、原稿画像の配信処理を実行させる機能手段である。配信処理部２１８は、入力受付部２１０から配信処理の実行命令を受領すると、スキャナ部２２０にスキャン処理の実行命令を送付して原稿をスキャナさせて原稿画像を生成させる。そして、配信処理部２１８は、その原稿画像を画像配信サーバ２３０に配信させる。
【００２６】
スキャナ部２２０は、配信処理部２１８または入力受付部２１０からスキャン処理の実行命令を受領すると、画像処理装置１２０ａに含まれるスキャナ装置（図示せず）に原稿をスキャニングさせ、レベル補正、ガンマ補正、エッジ処理などの画像補正処理およびＡ／Ｄ変換をして原稿画像を生成し、原稿画像バッファ２２２に格納する。原稿画像バッファ２２２は、原稿画像を格納するデータバッファであり、ＲＡＭ等の記憶装置によって実装可能である。
【００２７】
スキャナ部２２０は、入力受付部２１０からスキャン処理の実行命令を受領した場合、後述する画像配信サーバ２３０の要求処理可否判断部２３６に、スキャン処理を要求するユーザがその処理を実行する権限を有するか否か判断させる。当該ユーザが権限を有すると判断された場合には、スキャナ部２２０は、スキャナ処理を実行する。一方、当該ユーザが権限を有しないと判断された場合には、スキャナ部２２０は、表示処理部２１２に対して、その旨の表示をＵＩに表示させる。
【００２８】
画像配信サーバ２３０は、ネットワーク１１０を介して原稿画像を配信先サーバ１５０に配信する配信処理を実行する機能手段であり、配信処理部２３２と、書誌情報取得部２３４と、要求処理可否判断部２３６と、書誌情報登録部２３８と、書誌情報データベース２４０とを含む。
【００２９】
配信処理部２３２は、画像配信サーバ２３０の配信処理を制御する機能手段であり、書誌情報取得部２３４および要求処理可否判断部２３６を呼び出して、後述する書誌情報取得処理および要求処理可否判断処理を実行させる。配信処理部２３２は、要求処理可否判断部２３６から、要求処理可否判断処理の結果としてユーザの要求する処理が許可される旨の通知を受領すると、ネットワーク１１０を介して認証サーバ１３０に原稿画像の配信先情報を要求し、当該配信先情報が示す配信先に原稿画像を送付する。本実施形態では、配信処理部２３２は、認証サーバ１３０から原稿画像の配信先情報を受領すると、表示処理部２１２に対して、当該配信先情報を画像処理装置１２０ａのＵＩに表示させることができる。他の実施形態では、配信処理部２３２は、配信先情報を画像処理装置１２０ａのＵＩに表示させずに、原稿画像を関連する配信先に送信することができる。
【００３０】
書誌情報取得部２３４は、原稿画像にＯＣＲ（Optical Character Reader）処理を施して、原稿画像に含まれる文字情報や１次元または２次元コードを取得する書誌情報取得処理を実行する機能手段である。書誌情報取得部２３４は、配信処理部２３２から呼び出されると、原稿画像バッファ２２２に格納されている原稿画像を取得し、ＯＣＲ処理を施して原稿画像に含まれる文字情報を抽出し、書誌情報としてＲＡＭやＨＤＤ等の記憶装置に保存する。また、書誌情報取得部２３４は、テンプレートマッチング等の画像照合技術を用いて、原稿画像に含まれる１次元または２次元コードを取得し、書誌情報としてＲＡＭやＨＤＤ等の記憶装置に保存する。本実施形態では、１次元または２次元コードとして、バーコード、ＱＲコード、ＳＰコード、ＤａｔａＭａｔｒｉｘＡｚｔｅｃＣｏｄｅ、Ｓｅｍａｃｏｄｅ等の種々のコードを使用することができる。本実施形態では、これらの書誌情報は、画像処理装置１２０ａを用いて原稿画像の配信処理やスキャニング処理、複写処理等を実行させるユーザが、認証処理において認証されたユーザであるか否か判断するための情報として使用される。
【００３１】
要求処理可否判断部２３６は、ユーザの要求する処理が許容されるか否か判断する要求処理可否判断処理を実行する機能手段である。要求処理可否判断部２３６は、配信処理部２３２またはスキャナ部２２０から呼び出されると、書誌情報取得部２３４が抽出した書誌情報と、書誌情報データベース２４０にユーザ識別情報と関連付けて登録されている書誌情報とを比較して、一致する書誌情報が存在するか否か判断する。本実施形態では、一致する書誌情報が存在する場合には、処理を要求しているユーザが、画像処理装置１２０ａの使用権限を有するものと判断して、要求処理可否判断部２３６は、要求されている処理が許可される旨の通知を配信処理部２３２またはスキャナ部２２０に通知する。一方、一致する書誌情報が存在しない場合には、処理を要求しているユーザが、画像処理装置１２０ａの使用権限を有しないものと判断して、要求処理可否判断部２３６は、要求されている処理が許可されない旨の通知を配信処理部２３２またはスキャナ部２２０に通知する。
【００３２】
他の実施形態では、書誌情報データベース２４０に、使用が許可されない書誌情報をユーザ識別情報と関連付けて登録することができ、要求処理可否判断部２３６は、書誌情報取得部２３４が抽出した書誌情報と、書誌情報データベース２４０に登録されている書誌情報とを比較して、一致する書誌情報が存在しない場合には、処理を要求しているユーザが、画像処理装置１２０ａの使用権限を有しないものと判断することができる。
【００３３】
書誌情報登録部２３８は、管理端末１４０からネットワーク１１０を介して受領した書誌情報を書誌情報データベース２４０に登録する手段である。書誌情報登録部２３８は、管理端末１４０から送付される書誌情報が記載されたＨＴＭＬやＸＭＬ、ＸＨＴＭＬ等のマークアップ言語で記述された構造化文書を解析し、登録すべき書誌情報を抽出して書誌情報データベース２４０に登録する。書誌情報データベース２４０は、画像処理装置を使用するユーザ毎に書誌情報が登録されるデータベースである。なお、書誌情報データベース２４０については、登録される情報と共により詳細に後述する。
【００３４】
認証サーバ１３０は、ユーザ情報登録部２５０と、ユーザ情報データベース２５２と、認証処理部２５４と、配信先情報提供部２５６と、通信制御部２５８とを含む。
【００３５】
ユーザ情報登録部２５０は、管理端末１４０からネットワーク１１０を介して受領したユーザ情報をユーザ情報データベース２５２に登録する手段である。本実施形態では、ユーザ情報登録部２５０は、管理端末１４０から送付されるユーザ情報が記載された構造化文書を解析し、登録すべき書誌情報を抽出してユーザ情報データベース２５２に登録することができる。また、他の実施形態では、ユーザ情報登録部２５０は、ＳＱＬ等のデータの操作や定義を行うためのデータベース言語を使用して、ユーザ情報をユーザ情報データベース２５２に登録することができる。
【００３６】
ユーザ情報データベース２５２は、画像処理装置を使用するユーザ毎にユーザ情報が登録されるデータベースである。なお、ユーザ情報データベース２５２については、登録される情報と共により詳細に後述する。
【００３７】
認証処理部２５４は、画像処理装置を使用するユーザの認証処理を実行する機能手段である。認証処理部２５４は、画像処理装置１２０ａからユーザの認証要求を受領すると、ユーザ情報データベース２５２を参照し、認証要求と共に送付されるユーザ識別情報を使用して、該当するユーザが画像処理装置１２０ａの使用を許可されているか否かを判断する。そして、認証処理部２５４は、認証処理の結果を、ネットワーク１１０を介して画像処理装置１２０ａに送信する。本実施形態では、認証方式としてＡｃｔｉｖｅ  Ｄｉｒｅｃｔｏｒｙによる認証方式またはＬＤＡＰ（Lightweight Directory Access Protocol）による認証方式を採用するが、他の実施形態では、その他の認証方式を採用することができる。
【００３８】
配信先情報提供部２５６は、画像処理装置１２０ａの配信先情報要求に応じて、画像処理装置１２０ａに原稿画像の配信先情報を提供する機能手段である。配信先情報提供部２５６は、画像処理装置１２０ａから配信先情報要求と共に受領するユーザ識別情報を使用して、ユーザ情報データベース２５２から当該ユーザ識別情報に関連する配信先情報を取得し、当該配信先情報を画像処理装置１２０ａに送信する。
【００３９】
通信制御部２５８は、認証サーバ１３０と、画像処理装置１２０ａとの間でネットワーク１１０を介したデータの送受信を行う機能手段である。通信制御部２５８は、ユーザ認証処理、原稿画像配信処理および書誌情報登録処理に関する種々のデータを処理する。これらのデータには処理内容を識別する情報がヘッダなどに付加されており、通信制御部２５８は、その処理内容を識別する情報を使用して、データの送信先や、当該データを処理する認証サーバ１３０の機能手段を決定することができる。
【００４０】
管理端末１４０は、書誌情報登録部２６０と、書誌情報データベース２６２と、ユーザ情報登録部２６４と、通信制御部２６６とを含む。
【００４１】
書誌情報登録部２６０は、画像処理システム１００に含まれる画像処理装置の書誌情報データベースに書誌情報を登録する機能手段である。書誌情報登録部２６０は、管理端末１４０のユーザの指示により、書誌情報データベース２６２に登録されている書誌情報を、ネットワーク１１０を介して画像処理装置１２０ａに送信して登録させる。書誌情報登録部２６０は、ＨＴＭＬやＸＭＬ、ＸＨＴＭＬ等のマークアップ言語で記述された書誌情報を画像処理装置１２０ａに送信して、当該書誌情報を登録させる。
【００４２】
書誌情報データベース２６２は、画像処理システム１００に含まれる画像処理装置が使用する書誌情報が登録されるデータベースである。本実施形態では、書誌情報データベース２６２により、書誌情報が一元的に管理され、画像処理システム１００に含まれる総ての画像処理装置が有する書誌情報データベースの書誌情報は、書誌情報データベース２６２の書誌情報と同一である。他の実施形態では、書誌情報データベース２６２を画像処理装置毎にパーティション分割し、画像処理装置毎に書誌情報管理を行うようにしてもよい。
【００４３】
ユーザ情報登録部２６４は、認証サーバ１３０にユーザ情報を登録する機能手段である。ユーザ情報登録部２６４は、認証サーバ１３０に登録すべきユーザ情報を入力または指定可能なＵＩを管理端末１４０の表示装置に表示させ、管理端末１４０のユーザが入力または選択したユーザ情報を、ネットワーク１１０を介して認証サーバ１３０に送信して登録させる。本実施形態では、ユーザ情報登録部２６４は、ＨＴＭＬやＸＭＬ、ＸＨＴＭＬ等のマークアップ言語で記述されたユーザ情報を認証サーバ１３０に送信して、当該ユーザ情報を登録させる。他の実施形態では、ユーザ情報登録部２６４は、ＳＱＬ等のデータの操作や定義を行うためのデータベース言語を使用して、当該ユーザ情報を認証サーバ１３０に登録させることができる。
【００４４】
通信制御部２６６は、管理端末１４０と、画像処理装置１２０ａおよび認証サーバ１３０との間でネットワーク１１０を介したデータの送受信を行う機能手段である。通信制御部２６６は、ユーザ情報の登録処理および書誌情報の登録処理に関する種々のデータを処理する。これらのデータには処理内容を識別する情報がヘッダなどに付加されており、通信制御部２６６は、その処理内容を識別する情報を使用して、データの送信先を決定することができる。
【００４５】
図３は、本実施形態の画像処理システム１００が実行する処理のシーケンスを示した図である。本実施形態の画像処理システム１００が実行する処理は、ユーザ情報登録を登録するユーザ情報登録処理と、ユーザの認証を行うユーザ認証処理と、原稿画像配信処理と、当該原稿画像配信処理に付随して実行されるユーザ情報を取得するユーザ情報取得処理とを含む。
【００４６】
ユーザ情報登録処理は、ユーザが画像処理システム１００を利用する前に、管理者やユーザ等が管理端末１４０を使用して実行させる処理である。ユーザ情報登録処理は、管理端末１４０から認証サーバ１３０にユーザ情報およびユーザ情報登録要求を送信することで開始し、その処理結果が認証サーバ１３０から管理端末１４０に送付される。
【００４７】
ユーザ認証処理は、ユーザが画像処理装置１２０ａ，１２０ｂを利用する際に、当該画像処理装置に実行させる処理である。ユーザ認証処理は、画像処理装置１２０ａ，１２０ｂから認証サーバ１３０にユーザ識別情報およびユーザ認証要求を送信することで開始し、その認証結果が認証サーバ１３０から当該画像処理装置に送付される。
【００４８】
ユーザ情報取得処理は、ユーザが画像処理装置１２０ａ，１２０ｂを利用して、原稿画像配信処理を実行する際に当該画像処理装置が実行する処理である。ユーザ情報取得処理は、画像処理装置１２０ａ，１２０ｂから認証サーバ１３０にユーザ識別情報およびユーザ情報要求を送信することで開始し、その処理結果が認証サーバ１３０から当該画像処理装置に送付される。そして、当該画像処理装置は、配信先サーバ１５０に原稿画像および配信処理要求を送信することで原稿画像配信処理を実行し、その処理結果が配信先サーバ１５０から送信される。
【００４９】
図４は、本実施形態の画像処理装置が実行する処理のフローチャートを示した図である。以下、図４を参照して、画像処理装置が実行するユーザ認証処理、ユーザ情報取得処理および原稿画像配信処理について説明する。
【００５０】
図４の処理は、ステップＳ４００で入力受付部２１０がユーザの画像処理装置に対する操作を検知することで開始し、ステップＳ４０１で画像処理装置１２０ａの表示処理部２１２がユーザ認証画面を表示する。ステップＳ４０２では、入力受付部２１０が、ユーザ認証画面を介してユーザ認証情報であるユーザ識別情報を受領したか否か判断し、ユーザ認証情報を受領していないと判断した場合には（ｎｏ）、ステップＳ４０２の処理を反復させる。一方、ユーザ認証情報を受領したと判断した場合には（ｙｅｓ）、処理をステップＳ４０３に分岐させる。
【００５１】
ステップＳ４０３では、認証処理部２１４が、ステップＳ４０２で受領したユーザ認証情報を認証サーバ１３０に送信する。ステップＳ４０４では、認証処理部２１４が、認証サーバ１３０から受領した認証結果を使用して、ユーザの認証が許可されたか否か判断し、認証が許可されない場合には（ｎｏ）、処理をステップＳ４０５に分岐させる。ステップＳ４０５では、認証処理部２１４が、認証が許可されない旨を表示処理部２１２に通知し、表示処理部２１２が、認証が許可されない旨をＵＩに表示し、ステップＳ４１５で処理が終了する。
【００５２】
一方、ステップＳ４０４の判定でユーザの認証が許可されたと判断した場合には（ｙｅｓ）、処理をステップＳ４０６に分岐させる。ステップＳ４０６では、入力受付部２１０が、原稿画像の配信処理要求を受領したか否か判断し、配信処理要求を受領していないと判断した場合には（ｎｏ）、ステップＳ４０６の処理を反復させる。一方、配信処理要求を受領したと判断した場合には（ｙｅｓ）、処理をステップＳ４０７に分岐させる。ステップＳ４０７では、配信処理部２１８が、スキャナ部２２０にスキャン処理を実行させて原稿画像を生成し、原稿画像バッファ２２２に格納する。ステップＳ４０８では、配信処理部２１８が、ユーザ識別情報および原稿画像の配信処理要求を画像配信サーバ２３０に送信する。
【００５３】
ステップＳ４０９では、画像配信サーバ２３０の配信処理部２３２が書誌情報取得部２３４を呼び出して、原稿画像バッファ２２２に格納された原稿画像から書誌情報を取得する。ステップＳ４１０では、配信処理部２３２が、要求処理可否判断部２３６を呼び出し、要求処理可否判断部２３６は、書誌情報データベース２４０を参照し、ユーザ識別情報および書誌情報を使用して、当該ユーザによる配信処理が許可されているか否か判断する。
【００５４】
ステップＳ４１０の判定で配信処理が許可されていると判断した場合には（ｙｅｓ）、処理をステップＳ４１１に分岐させる。ステップＳ４１１では、配信処理部２３２が、認証サーバ１３０に原稿画像配信先情報を要求する。ステップＳ４１２では、表示処理部２１２が原稿画像配信先情報をＵＩに表示させる。ステップＳ４１３では、入力受付部２１０がユーザの選択した原稿画像配信先情報を配信処理部２３２に通知し、配信処理部２３２が、当該原稿画像配信先情報の示す配信先サーバ１５０に原稿画像を送信し、ステップＳ４１５で処理が終了する。
【００５５】
ステップＳ４１０の判定で配信処理が許可されていないと判断した場合には（ｎｏ）、処理をステップＳ４１４に分岐させる。ステップＳ４１４では、表示処理部２１２が、配信処理が許可されていない旨をＵＩに表示し、ステップＳ４１５で処理が終了する。
【００５６】
図５は、本実施形態の認証サーバが実行する処理のフローチャートを示した図である。以下、図５を参照して、認証サーバ１３０が実行するユーザ情報登録処理、ユーザ認証処理および原稿画像の配信先情報提供処理について説明する。
【００５７】
図５の処理は、ステップＳ５００で開始し、ステップＳ５０１で認証サーバ１３０が処理要求を受領したか否か判断する。ステップＳ５０１の判定で処理要求を受領していないと判断した場合には（ｎｏ）、ステップＳ５０１の処理を反復させる。一方、ステップＳ５０１の判定で処理要求を受領したと判断した場合には（ｙｅｓ）、処理要求の内容に応じ、処理をステップＳ５０２、Ｓ５０３またはＳ５０５に分岐させる。
【００５８】
ステップＳ５０１の判定でユーザ情報の登録要求を受領したと判断した場合、処理をステップＳ５０２に分岐させ、ステップＳ５０２では、ユーザ情報登録部２５０が、管理端末１４０から処理要求と共に受領したユーザ情報をユーザ情報データベース２５２に登録し、ステップＳ５０７で処理が終了する。
【００５９】
一方、ステップＳ５０１の判定でユーザ認証要求を受領したと判断した場合、処理をステップＳ５０３に分岐させ、ステップＳ５０３では、認証処理部２５４が、ユーザ情報データベース２５２を参照して、画像処理装置から処理要求と共に受領したユーザ識別情報が示すユーザの認証が許可されているか判断する。ステップＳ５０４では、認証処理部２５４が、認証結果を画像処理装置に送信し、ステップＳ５０７で処理が終了する。
【００６０】
一方、ステップＳ５０１の判定で原稿画像配信先情報要求を受領したと判断した場合、処理をステップＳ５０５に分岐させ、ステップＳ５０５では、配信先情報提供部２５６が、ユーザ情報データベース２５２を参照して、画像処理装置から処理要求と共に受領したユーザ識別情報に関連付けられた原稿画像配信先情報を取得する。ステップＳ５０６では、認証処理部２５４が、ステップＳ５０５で取得した原稿画像配信先情報を画像処理装置に送信し、ステップＳ５０７で処理が終了する。
【００６１】
図６は、本実施形態のユーザ情報データベースに登録されるデータテーブルであるユーザ情報テーブルの実施形態を示した図である。以下、図６を参照してユーザ情報テーブル６００について説明する。
【００６２】
ユーザ情報テーブル６００には、ユーザ情報として、ユーザ識別情報６１０と、使用可否情報６１２と、原稿画像配信先情報６１４と、属性情報６１６とが関連付けて登録される。
【００６３】
ユーザ識別情報６１０には、ユーザ認証情報として、本実施形態の画像処理システム１００のユーザを示すユーザ識別情報が登録される。図６に示す例では、ユーザ識別情報としてユーザＩＤである数字が登録されているが、他の実施形態では、任意の数字や文字列を使用してユーザを識別してもよい。
【００６４】
使用可否情報６１２には、ユーザ認証情報として、画像処理装置１２０ａ，１２０ｂに対するユーザの使用可否を指定する情報である使用可否情報が登録される。図６に示す例では、使用可否情報として、当該画像処理装置の使用を許容する「可」と、当該画像処理装置の使用を拒否する「不可（アカウント無効）」および「不可（ロックアウト）」とが登録されている。認証サーバ１３０の認証処理部２５４は、これらの使用可否情報を参照してユーザの認証可否を判断する。なお、本実施形態では、使用可否情報として文字列を使用しているが、他の実施形態では、任意の数値や文字列に使用可否を示す意味を与えて使用してもよい。
【００６５】
原稿画像配信先情報６１４には、原稿画像の配信先のメールアドレスやファイルパスが登録される。認証サーバ１３０の配信先情報提供部２５６は、ユーザ識別情報に関連付けられたこれらの原稿画像配信先情報を取得して、画像処理装置に送信する。なお、本実施形態では、原稿画像配信先情報として、１のユーザに対して１のメールアドレスおよびファイルパスが登録されているが、他の実施形態では、１のユーザに対して複数のメールアドレスおよびファイルパスを登録してもよい。
【００６６】
属性情報６１６には、ユーザの属性情報が登録される。図６に示す実施形態では、属性情報としてユーザの所属が登録されているが、その他、ユーザのメールアドレスや入社年月日、生年月日等の種々の属性情報を登録することができる。
【００６７】
図７は、本実施形態の書誌情報データベースに登録されるデータテーブルである書誌情報テーブルの実施形態を示した図である。以下、図７を参照して書誌情報テーブル７００について説明する。
【００６８】
書誌情報テーブル７００には、ユーザ識別情報７１０と、書誌情報７１２と、金額情報７１４とが関連付けて登録される。
【００６９】
ユーザ識別情報７１０には、図６に示すユーザ情報テーブル６００と同様に、本実施形態の画像処理システム１００のユーザを示すユーザ識別情報が登録される。
【００７０】
書誌情報７１２には、原稿画像の識別情報として、ユーザが利用する原稿を識別可能な書誌情報が登録される。図７に示す実施形態では、原稿画像を識別可能な書誌情報として、ユーザの所属、メールアドレス、１次元または２次元コードのＩＤを含ませることができる。本実施形態では、書誌情報として登録される１次元または２次元コードのＩＤは、ユーザの識別情報、ユーザが所属する部署や事業所等の所属情報、またはユーザが担当するプロジェクト等の業務情報等を示す。本実施形態の画像処理装置の要求処理可否判断部２３６は、書誌情報データベース２４０に登録されたこれらの書誌情報が、原稿画像から抽出した書誌情報と一致するか判断して、要求処理を許容するか否か判断する。
【００７１】
金額情報７１４には、原稿画像の識別情報として、ユーザが原稿に記載可能な最大の金額を示す金額情報が登録される。本実施形態の画像処理装置の要求処理可否判断部２３６は、原稿画像から抽出した金額情報が、書誌情報データベース２４０に登録されたこれらの金額情報以上であるか判断することにより、要求処理を許容するか否か判断することができる。
【００７２】
他の実施形態では、ユーザが使用できない書誌情報を登録するデータテーブルを設けて、要求処理を許容するか否か判断してもよい。この場合、当該データテーブルには、ユーザが取り扱うことができない原稿に含まれる「組織図」、「給与」、「賞与」、「守秘」等の文字や上記コードＩＤが登録され、これらの書誌情報が、原稿画像から抽出した書誌情報に含まれている場合には、要求処理を拒否するように構成してもよい。
【００７３】
図８は、本実施形態の画像処理装置に表示されるＵＩである認証情報入力画面８１０を示した図である。認証情報入力画面８１０は、ユーザ認証情報を入力する項目８１２を含んでおり、本実施形態では、ユーザ認証情報としてユーザ識別情報を入力することができる。ユーザ認証情報を入力してログインボタン８１４を押下し、その認証が許可されると、ＵＩは原稿画像の配信処理やスキャニング処理等の指示画面に遷移する。一方、認証が拒否されると、その旨がＵＩに表示される。
【００７４】
図９は、他の実施形態の画像処理システム９００を示した図である。画像処理システム９００は、ネットワーク９１０と、ネットワーク９１０に接続される画像処理装置９２０ａ、９２０ｂと、認証サーバ９３０と、管理端末９４０と、配信先サーバ９５０と、画像配信サーバ９６０とを含んでいる。図１を参照して説明した画像処理システム１００と比べて、画像処理システム９００は、画像配信サーバ９６０を備えている点で異なるが、その他の点については、画像処理システム９００と同様であるため、以下、相違点を中心に説明する。
【００７５】
画像配信サーバ９６０は、画像処理装置９２０ａ、９２０ｂからネットワーク９１０を介してユーザ識別情報および原稿画像を受領し、原稿画像から書誌情報を抽出して原稿画像の配信処理の可否を判断して、配信処理が許容されるときにのみ原稿画像を配信先サーバ９５０に配信する。画像配信サーバ９６０は、ＰＥＮＴＩＵＭ（登録商標）または互換プロセッサを搭載し、ＷＩＮＤＯＷＳ（登録商標）２００Ｘサーバ、ＵＮＩＸ（登録商標）、ＬＩＮＵＸ（登録商標）などのＯＳの管理下で、本実施形態のプログラムを実行する。また、画像配信サーバ９６０は、プログラムを実行するための実行空間を提供するＲＡＭ、プログラムやデータなどを持続的に保持するためのＨＤＤなどを含んでおり、本実施形態のプログラムの実行することにより、後述する機能を画像配信サーバ９６０上に実現する。
【００７６】
図１０は、本実施形態の画像処理システム９００に含まれる画像処理装置９２０ａ、認証サーバ９３０、管理端末９４０および画像配信サーバ９６０の機能構成を示す図である。以下、図１０を参照して、画像配信サーバ９６０が実装する処理機能について説明する。なお、画像処理装置９２０ａ、認証サーバ９３０および管理端末９４０については、図２を参照して説明した画像処理装置１２０ａ、認証サーバ１３０および管理端末１４０と同様の構成を有するため、以下、より詳細な説明は省略する。
【００７７】
画像配信サーバ９６０は、ネットワーク９１０を介して原稿画像を配信先サーバ９５０に配信する配信処理を実行するサーバ装置であり、配信処理部１０３２と、書誌情報取得部１０３４と、要求処理可否判断部１０３６と、書誌情報登録部１０３８と、書誌情報データベース１０４０と、通信制御部１０４２と、原稿画像バッファ１０４４とを含む。
【００７８】
配信処理部１０３２は、画像配信サーバ９６０の配信処理を制御する機能手段であり、書誌情報取得部１０３４および要求処理可否判断部１０３６を呼び出して、書誌情報取得処理および要求処理可否判断処理を実行させる。配信処理部１０３２は、要求処理可否判断部１０３６から、要求処理可否判断処理の結果としてユーザの要求する処理が許可される旨の通知を受領すると、ネットワーク９１０を介して認証サーバ９３０に原稿画像の配信先情報を要求し、当該配信先情報が示す配信先に原稿画像を送付する。本実施形態では、配信処理部１０３２は、認証サーバ９３０から原稿画像の配信先情報を受領すると、画像処理装置９２０ａに対して、当該配信先情報を画像処理装置９２０ａのＵＩに表示させることができる。他の実施形態では、配信処理部１０３２は、配信先情報を画像処理装置９２０ａのＵＩに表示させずに、原稿画像をユーザに関連付けられた配信先に送信することができる。
【００７９】
書誌情報取得部１０３４は、原稿画像にＯＣＲ処理を施して、原稿画像に含まれる文字情報や１次元または２次元コードを取得する書誌情報取得処理を実行する機能手段である。書誌情報取得部１０３４は、配信処理部１０３２から呼び出されると、画像処理装置９２０ａが送信した原稿画像が格納された原稿画像バッファ１０４４から原稿画像を取得し、ＯＣＲ処理を施して原稿画像に含まれる文字情報を抽出し、書誌情報としてＲＡＭやＨＤＤ等の記憶装置に保存する。また、書誌情報取得部１０３４は、テンプレートマッチング等の画像照合技術を用いて、原稿画像に含まれる１次元または２次元コードを取得し、書誌情報としてＲＡＭやＨＤＤ等の記憶装置に保存する。本実施形態では、１次元または２次元コードとして、バーコード、ＱＲコード、ＳＰコード、ＤａｔａＭａｔｒｉｘＡｚｔｅｃＣｏｄｅ、Ｓｅｍａｃｏｄｅ等の種々のコードを使用することができる。本実施形態では、これらの書誌情報は、画像処理装置９２０ａを用いて原稿画像の配信処理やスキャニング処理、複写処理等を実行させるユーザが、認証処理において認証されたユーザであるか否か判断するための情報として使用される。
【００８０】
要求処理可否判断部１０３６は、ユーザの要求する処理が許容されるか否か判断する要求処理可否判断処理を実行する機能手段である。要求処理可否判断部１０３６は、配信処理部１０３２から呼び出され、または画像処理装置９２０ａから要求処理可否判断処理実行命令を受領すると、書誌情報取得部１０３４が抽出した書誌情報と、書誌情報データベース１０４０にユーザ識別情報と関連付けて登録されている書誌情報とを比較して、一致する書誌情報が存在するか否か判断する。本実施形態では、一致する書誌情報が存在する場合には、処理を要求しているユーザが、画像処理装置９２０ａの使用権限を有するものと判断して、要求処理可否判断部１０３６は、要求されている処理が許可される旨の通知を配信処理部１０３２または画像処理装置９２０ａに通知する。一方、一致する書誌情報が存在しない場合には、処理を要求しているユーザが、画像処理装置９２０ａの使用権限を有しないものと判断して、要求処理可否判断部１０３６は、要求されている処理が許可されない旨の通知を配信処理部１０３２または画像処理装置９２０ａに通知する。
【００８１】
他の実施形態では、書誌情報データベース１０４０に、使用が許可されない書誌情報をユーザ識別情報と関連付けて登録することができ、要求処理可否判断部１０３６は、書誌情報取得部１０３４が抽出した書誌情報と、書誌情報データベース１０４０に登録されている書誌情報とを比較して、一致する書誌情報が存在しない場合には、処理を要求しているユーザが、画像処理装置９２０ａの使用権限を有しないものと判断することができる。
【００８２】
書誌情報登録部１０３８は、管理端末９４０からネットワーク９１０を介して受領した書誌情報を書誌情報データベース１０４０に登録する手段である。書誌情報登録部１０３８は、管理端末９４０から送付される書誌情報が記載されたＨＴＭＬやＸＭＬ、ＸＨＴＭＬ等のマークアップ言語で記述された構造化文書を解析し、登録すべき書誌情報を抽出して、画像処理装置を使用するユーザ毎に書誌情報が登録される書誌情報データベース１０４０に登録する。また、書誌情報登録部１０３８は、管理端末９４０から送付されたＳＱＬ文を解析して、書誌情報を登録することもできる。
【００８３】
通信制御部１０４２は、画像配信サーバ９６０と、画像処理装置９２０ａ、認証サーバ９３０および管理端末９４０との間でネットワーク９１０を介したデータの送受信を行う機能手段である。通信制御部１０４２は、原稿画像配信処理および書誌情報登録処理に関する種々のデータを処理する。これらのデータには処理内容を識別する情報がヘッダなどに付加されており、通信制御部１０４２は、その処理内容を識別する情報を使用して、データの送信先や、当該データを処理する画像配信サーバ９６０の機能手段を決定することができる。また、通信制御部１０４２は、画像処理装置９２０ａから原稿画像の配信要求、配信すべき原稿画像、および配信要求を発行したユーザを示すユーザ識別情報を受領すると、当該原稿画像を原稿画像バッファ１０４４に格納し、配信処理部１０３２を呼び出して配信処理を実行させる。
【００８４】
図１１は、他の実施形態の画像処理システム９００が実行する処理のシーケンスを示した図である。本実施形態の画像処理システム９００が実行する処理は、ユーザ情報登録を登録するユーザ情報登録処理と、ユーザの認証を行うユーザ認証処理と、原稿画像配信処理と、当該原稿画像配信処理に付随して実行されるユーザ情報を取得するユーザ情報取得処理とを含む。
【００８５】
ユーザ情報登録処理は、ユーザが画像処理システム９００を利用する前に、管理者やユーザ等が管理端末９４０を使用して実行させる処理である。ユーザ情報登録処理は、管理端末９４０から認証サーバ９３０にユーザ情報およびユーザ情報登録要求を送信することで開始し、その処理結果が認証サーバ９３０から管理端末９４０に送付される。
【００８６】
ユーザ認証処理は、ユーザが画像処理装置９２０ａ，９２０ｂを利用する際に、当該画像処理装置に実行させる処理である。ユーザ認証処理は、画像処理装置９２０ａ，９２０ｂから認証サーバ９３０にユーザ識別情報およびユーザ認証要求を送信することで開始し、その認証結果が認証サーバ９３０から当該画像処理装置に送付される。
【００８７】
原稿画像配信処理は、ユーザが画像処理装置９２０ａ，９２０ｂを利用して原稿画像の配信要求を発行することにより開始する。原稿画像の配信処理を実行すべき画像処理装置９２０ａ，９２０ｂは、配信処理要求を画像配信サーバ９６０に送信する。配信処理要求を受領した画像配信サーバ９６０は、画像配信サーバ９６０から認証サーバ９３０にユーザ識別情報およびユーザ情報要求を送信することでユーザ情報取得処理を開始させ、その処理結果が認証サーバ９３０から当該画像配信サーバに送付される。そして、当該画像配信サーバは、配信先サーバ９５０に原稿画像および配信処理要求を送信することで原稿画像配信処理を実行し、その処理結果が配信先サーバ９５０から画像配信サーバに送信され、当該画像配信サーバが画像処理装置９２０ａ，９２０ｂに送信する。
【００８８】
図１２は、他の実施形態の画像処理装置が実行する処理のフローチャートを示した図である。以下、図１２を参照して、画像処理装置９２０ａが実行する処理について説明する。
【００８９】
図１２の処理は、ステップＳ１２００で入力受付部１０１０がユーザの画像処理装置に対する操作を検知することで開始し、ステップＳ１２０１で画像処理装置９２０ａの表示処理部１０１２がユーザ認証画面を表示する。ステップＳ１２０２では、入力受付部１０１０が、ユーザ認証画面を介してユーザ認証情報であるユーザ識別情報を受領したか否か判断し、ユーザ認証情報を受領していないと判断した場合には（ｎｏ）、ステップＳ１２０２の処理を反復させる。一方、ユーザ認証情報を受領したと判断した場合には（ｙｅｓ）、処理をステップＳ１２０３に分岐させる。
【００９０】
ステップＳ１２０３では、認証処理部１０１４が、ステップＳ１２０２で受領したユーザ認証情報を認証サーバ９３０に送信する。ステップＳ１２０４では、認証処理部１０１４が、認証サーバ９３０から受領した認証結果を使用して、ユーザの認証が許可されたか否か判断し、認証が許可されない場合には（ｎｏ）、処理をステップＳ１２０５に分岐させる。ステップＳ１２０５では、認証処理部１０１４が、認証が許可されない旨を表示処理部１０１２に通知し、表示処理部１０１２が、認証が許可されない旨をＵＩに表示し、ステップＳ１２１６で処理が終了する。
【００９１】
一方、ステップＳ１２０４の判定でユーザの認証が許可されたと判断した場合には（ｙｅｓ）、処理をステップＳ１２０６に分岐させる。ステップＳ１２０６では、入力受付部１０１０が、原稿画像の配信処理要求を受領したか否か判断し、配信処理要求を受領していないと判断した場合には（ｎｏ）、ステップＳ１２０６の処理を反復させる。一方、配信処理要求を受領したと判断した場合には（ｙｅｓ）、処理をステップＳ１２０７に分岐させる。ステップＳ１２０７では、配信処理部１０１８が、スキャナ部１０２０にスキャン処理を実行させて原稿画像を生成し、原稿画像バッファ１０２２に格納する。ステップＳ１２０８では、配信処理部１０１８が、原稿画像の配信処理要求を、ユーザ識別情報および原稿画像と共に画像配信サーバ９６０に送信する。
【００９２】
ステップＳ１２０９では、配信処理部１０１８が、画像配信サーバ９６０から配信処理要求が許可されたか否か判断し、許可されなかったと判断した場合には（ｎｏ）、処理をステップＳ１２１５に分岐させ、ステップＳ１２１５で、表示処理部１０１２が、配信処理が許可されなかった旨をＵＩに表示する。一方、ステップＳ１２０９の判定で画像配信サーバ９６０から配信処理要求が許可されたと判断した場合には（ｙｅｓ）、処理をステップＳ１２１０に分岐させる。本実施形態では、画像配信サーバ９６０から配信処理要求が許可された旨の通知を受領した場合には、配信処理要求が許可されたと判断し、一方、配信処理要求が許可しない旨の通知を受領した場合には、配信処理要求が拒否されたと判断する。
【００９３】
ステップＳ１２１０では、配信処理部１０１８が、通信制御部１０１６を介して原稿画像配信先情報を受領したか否か判断し、原稿画像配信先情報を受領していないと判断した場合には（ｎｏ）、ステップＳ１２１０の処理を反復させる。一方、ステップＳ１２１０の判定で、原稿画像配信先情報を受領したと判断した場合には（ｙｅｓ）、処理をステップＳ１２１１に分岐させる。ステップＳ１２１１では、配信処理部１０１８が、表示処理部１０１２に対して原稿画像配信先情報をＵＩに表示させる。
【００９４】
ステップＳ１２１２では、配信処理部１０１８が、入力受付部１０１０を介して原稿画像配信先情報が指定されたか否か判断し、原稿画像配信先情報が指定されていないと判断した場合には（ｎｏ）、ステップＳ１２１２の処理を反復させる。一方、ステップＳ１２１２の判定で原稿画像配信先情報が指定されたと判断した場合には（ｙｅｓ）、処理をステップＳ１２１３に分岐させる。ステップＳ１２１３では、配信処理部１０１８が、当該指定された原稿画像配信先情報を画像配信サーバ９６０に送信する。ステップＳ１２１４では、配信処理部１０１８が、表示処理部１０１２に対して配信処理が終了した旨をＵＩに表示させ、ステップＳ１２１６で処理が終了する。
【００９５】
図１３は、他の実施形態の認証サーバ９３０が実行する処理のフローチャートを示した図である。以下、図１３を参照して、画像配信サーバ９６０が実行する処理について説明する。
【００９６】
図１３の処理は、ステップＳ１３００から開始し、ステップＳ１３０１で画像配信サーバ９６０の通信制御部１０４２が、画像処理装置９２０ａまたは管理端末９４０から処理要求を受信したか否か判断する。ステップＳ１３０１の判定で処理要求を受信していないと判断した場合には（ｎｏ）、ステップＳ１３０１の処理を反復させる。一方、ステップＳ１３０１の判定で処理要求を受信したと判断した場合には（ｙｅｓ）、処理要求の内容に応じ、処理をステップＳ１３０２またはＳ１３１１に分岐させる。
【００９７】
ステップＳ１３０１の判定で原稿画像の配信処理要求を受領したと判断した場合、処理をステップＳ１３０２に分岐し、ステップＳ１３０２で配信処理部１０３２が、受信した原稿画像を原稿画像バッファ１０４４に格納する。ステップＳ１３０３では、配信処理部１０３２が、書誌情報取得部１０３４を呼び出して、原稿画像バッファ１０４４に格納された原稿画像から書誌情報を取得する。ステップＳ１３０４では、配信処理部１０３２が、要求処理可否判断部１０３６を呼び出し、要求処理可否判断部１０３６は、書誌情報データベース１０４０を参照し、ユーザ識別情報および書誌情報を使用して、当該ユーザによる配信処理が許可されているか否か判断する。
【００９８】
ステップＳ１３０４の判定で、配信処理が許可されていないと判断した場合には（ｎｏ）、処理をステップＳ１３１０に分岐させる。ステップＳ１３１０では、配信処理部１０３２が、配信処理が許可されていない旨を画像処理装置９２０ａに通知し、ステップＳ１３１２で処理が終了する。
【００９９】
一方、ステップＳ１３０４の判定で配信処理が許可されていると判断した場合には（ｙｅｓ）、処理をステップＳ１３０５に分岐させる。ステップＳ１３０５では、配信処理部１０３２が、配信処理が許可された旨の通知を画像処理装置９２０ａに送信する。ステップＳ１３０６では、配信処理部１０３２が、認証サーバ９３０に、当該ユーザのユーザ識別情報を送信すると共に原稿画像配信先情報を要求する。ステップＳ１３０７では、配信処理部１０３２が、認証サーバ９３０から受領した原稿画像配信先情報を画像処理装置９２０ａに送信してＵＩに表示させる。ステップＳ１３０８では、配信処理部１０３２が、画像処理装置９２０ａから原稿画像配信先情報を受領したか否か判断し、原稿画像配信先情報を受領していないと判断した場合には（ｎｏ）、ステップＳ１３０８の処理を反復させる。一方、原稿画像配信先情報を受領したと判断した場合には（ｙｅｓ）、処理をステップＳ１３０９に分岐させる。ステップＳ１３０９では、配信処理部１０３２が、当該原稿画像配信先情報の示す配信先サーバ９５０に原稿画像を送信し、ステップＳ１３１２で処理が終了する。
【０１００】
一方、ステップＳ１３０１の判定で書誌情報登録要求を受領したと判断した場合、処理をステップＳ１３１１に分岐させ、ステップＳ１３１１では、書誌情報登録部１０３８が、管理端末９４０から受信した書誌情報を書誌情報データベース１０４０に登録し、ステップＳ１３１２で処理が終了する。
【０１０１】
これまで本実施形態につき説明してきたが、本発明は、上述した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【符号の説明】
【０１０２】
１００…画像処理システム、１１０…ネットワーク、１２０ａ，１２０ｂ，…画像処理装置、１３０…認証サーバ、１４０…管理端末、１５０…配信先サーバ、９００…画像処理システム、９１０…ネットワーク、９２０ａ，９２０ｂ，…画像処理装置、９３０…認証サーバ、９４０…管理端末、９５０…配信先サーバ、９６０…画像配信サーバ
【先行技術文献】
【特許文献】
【０１０３】
【特許文献１】特開２００９−１１３３７９号公報
【特許文献２】特開２００７−２４９４１７号公報
【図１】
2011191895.tif 000003
【図２】
2011191895.tif 000004
【図３】
2011191895.tif 000005
【図４】
2011191895.tif 000006
【図５】
2011191895.tif 000007
【図６】
2011191895.tif 000008
【図７】
2011191895.tif 000009
【図８】
2011191895.tif 000010
【図９】
2011191895.tif 000011
【図１０】
2011191895.tif 000012
【図１１】
2011191895.tif 000013
【図１２】
2011191895.tif 000014
【図１３】
2011191895.tif 000015